(57)【特許請求の範囲】
【請求項１】
閉じたときに収納対象物を収容する空所を内部に形成する第１ケース片、及び第２ケース片と、前記第１、及び第２ケース片を夫々の一辺にて開閉自在に連結する連結部と、前記第１ケース片の前記一辺を除いた全ての他辺のそれぞれから外方へ突出した複数の第１係止突起と、前記第２ケース片の前記一辺を除いた全ての他辺のそれぞれから外方へ突出した複数の第２係止突起と、前記第１ケース片と前記第２ケース片が閉止状態にある時に前記第１係止突起と前記第２係止突起との間に形成される挿入部と、該挿入部に挿入して前記第１、及び第２ケース片の開放を禁止する固定部材と、を備えたことを特徴とするハウジング。
【請求項２】
前記第１、及び第２ケース片を閉じたときに、前記第１ケース片に設けた各第１係止突起と、前記第２ケース片に設けた各第２係止突起とは、前記第１、及び第２ケース片の前記他辺の長手方向に沿って重ならない位置関係にあり、且つ前記他辺の長手方向と直交する幅方向に沿って少なくとも一部が重なる位置関係にあり、
前記第１及び第２ケース片を閉じた状態において、前記各第１係止突起と前記各第２係止突起との間に前記他辺の長手方向に沿って延びる前記挿入部が形成されることを特徴とする請求項１に記載のハウジング。
【請求項３】
前記固定部材は、前記挿入部に挿入する被挿入部と、該被挿入部の挿入停止位置を決めるストッパ部と、を備えていることを特徴とする請求項１又は２に記載のハウジング。
【発明の詳細な説明】
【技術分野】
【０００１】
本発明はデジタルカメラを始めとした小型の光学機器、その他の携帯用機器を収容するハウジングに関する。
【背景技術】
【０００２】
デジタルカメラを始めとした小型光学機器は、屋外において雨水に曝される機会が多いため、防水ハウジングに収納した状態で携帯され、且つ使用される。防水ハウジングは小型光学機器を収容した状態で撮影のための操作ができるように少なくとも画角に対応するケース部分が透明となっている。
従来の防水ハウジングとして、閉じたときに内部に光学機器を収容する空間を形成する開閉自在な２つのケース片と、２つのケース片の各一辺を開閉自在に連結するヒンジ部と、各ケース片のヒンジ部と対向する他辺に夫々設けたバックル片と、２つのケース片の周縁に沿って配置した封止用の弾性部材と、を備えたものが知られている。２つのバックル片としては、例えば特許文献１に開示されているように、２つのケース片を閉じたときに互いに係合するように同じ位置に配置されたタイプが知られている。或いは、一方のケース片の前記他辺に設けたバックルにより他のケース片の他辺を挟み込んで固定するようにしたタイプも知られている。
【０００３】
しかし、従来の防水ハウジングでは、ケース片の外周縁から突出したバックルを用いて他方のケースを挟み込んで固定しているため、防水ハウジングの総厚が大きくなる。また、ヒンジ部を設けたケース片の一辺を除いた三辺の内の一辺のみをバックルで固定するために、他の二辺はケースの剛性のみによって封止用の弾性部材との密着力を確保していることになり、ケースの剛性を越えた力が加わった場合には他の二辺での密封性が低下する。しかし、バックルを三辺に配置すると、開閉操作が煩わしくなる。ケース片を閉止状態でロックする手段として、バックルやレバーを用いた場合には、ロックするための操作力が不足した場合に半締めが発生し、半締め状態を目視で認識しにくい結果、防水性が低下するという問題があった。
【０００４】
次に特許文献２には、前後一対の防水ケース片の外周縁を、フロントケースに取り付けたメタルベルトで密着固定することにより、簡単な構成で全体の防水性を確保した防水型デジタルカメラが開示されている。
この従来例では、２つの防水ケース片の三辺をメタルベルトで固定し、かつ防水ハウジングの厚みを増やさずに固定することができる。しかし、防水構造が複雑になるという問題は解消されていない。
なお、防水ハウジングはデジタルカメラ等の小型光学機器以外の電子機器、例えば携帯用の通信機器等にも使用されることがあり、通信機器等用の防水ハウジングにおいても同様の問題が発生する。
【発明の概要】
【発明が解決しようとする課題】
【０００５】
本発明は上記に鑑みてなされたものであり、構造がシンプルであり、簡易な操作で安定的な密閉力を確保し、かつ厚みを増加させずに確実な密閉性能を確保することができるハウジングを提供することを目的とする。
【課題を解決するための手段】
【０００６】
上記目的を達成するため、本発明に係る防水ハウジングは、閉じたときに収納対象物を収容する空所を内部に形成する第１、及び第２ケース片と、前記第１、及び第２ケース片を夫々の一辺にて開閉自在に連結する連結部と、前記第１ケース片の前記一辺を除いた全ての他辺のそれぞれから外方へ突出した複数の第１係止突起と、前記第２ケース片の前記一辺を除いた全ての他辺のそれぞれから外方へ突出した複数の第２係止突起と、前記第１ケース片と前記第２ケース片が閉止状態にある時に前記第１係止突起と前記第２ケースの係止突起との間に形成される挿入部と、該挿入部に挿入された時に前記第１、及び第２ケース片の開放を禁止する固定部材と、を備えたことを特徴とする。
【発明の効果】
【０００７】
本発明によれば、簡易な操作で安定的な密閉力を確保し、かつハウジング全体の厚みを増加させずに確実な密閉性能を確保することができるようになる。
【図面の簡単な説明】
【０００８】
【図１】（ａ）及び（ｂ）は本発明の一実施形態に係る防水ハウジングの閉止状態を示す斜視図である。
【図２】閉止状態にある防水ハウジングの側面図である。
【図３】（ａ）及び（ｂ）は開放状態にある防水ハウジングの内面側の斜視図である。
【図４】（ａ）及び（ｂ）は係止突起の具体的構成を示す拡大斜視図である。
【図５】（ａ）及び（ｂ）は固定部材により係止突起を係止する手順を示す斜視図である。
【発明を実施するための形態】
【０００９】
以下、本発明を図面に示した実施の形態により詳細に説明する。
図１（ａ）及び（ｂ）は本発明の一実施形態に係る防水ハウジングの閉止状態を示す斜視図であり、図２は閉止状態にある防水ハウジングの側面図であり、図３（ａ）及び（ｂ）は開放状態にある防水ハウジングの内面側の斜視図であり、図４（ａ）及び（ｂ）は係止突起の具体的構成を示す拡大斜視図であり、図５（ａ）及び（ｂ）は固定部材により係止突起を係止する手順を示す斜視図である。
【００１０】
防水ハウジング１は、デジタルカメラ等の光学機器、スマートフォン等の通信機器等の各種電子機器に適用することができるが、以下ではデジタルカメラ用防水ハウジングを一例として説明する。
本発明に係る防水ハウジング１は、閉じたときに収納対象物（本例では、全天球撮影型のデジタルカメラ）１００を収容する空所Ｓを内部（内面間）に形成する第１ケース片（前ケース片）２、及び第２ケース片（後ケース片）２０と、第１、及び第２ケース片２、２０を夫々の一辺（底辺）２ａ、２０ａにて開閉自在に連結する連結部（回転ヒンジ部）３０と、第１ケース片２の一辺２ａを除いた他辺２ｂ、２ｃ、２ｄから外方（空所Ｓと反対方向）へ突出した複数の第１係止突起４と、第２ケース片２０の一辺２０ａを除いた他辺２０ｂ、２０ｃ、２０ｄから外方へ突出した複数の第２係止突起２２と、両ケース片の閉止時に第１係止突起４と第２係止突起２２との間に形成される挿入部４０と、挿入部４０に挿入された時に第１、及び第２ケース片の開放を禁止し、挿入部から離脱した時に開放を可能とする固定部材（ロック部材）５０と、を備えている。
【００１１】
本例では、各ケース片２、２０の底辺である一辺２ａ、２０ａに連結部３０を配置したが、これは一例であり、他辺である側辺２ｂ、２ｃ、２０ｂ、２０ｃの何れか一つ、或いは他辺である頂辺２ｄ、２０ｄの何れか一つに連結部３０を配置してもよい。
更に、第１、及び第２ケース片２、２０を図１、図２のように閉じたときに、第１ケース片２に設けた各第１係止突起４と、第２ケース片２０に設けた各第２係止突起２２とは、第１、及び第２ケース片の各他辺２ｂ、２ｃ、２ｄ、２０ｂ、２０ｃ、２０ｄの長手方向Ｌに沿って重ならない位置関係（互い違いの関係）にあり、且つ前記各他辺の長手方向Ｌと直交する幅方向Ｗに沿って少なくとも一部が重なる位置関係にある。
【００１２】
また、第１、及び第２ケース片を図１、図２のように閉じたときに、第１係止突起４は第２ケース片２０の側辺２０ｂ、２０ｃ側にオーバーラップするように幅方向へ突出し、第２係止突起２２は第１ケース片２の側辺２ｂ、２ｃ側にオーバーラップするように幅方向へ突出する。
このため、第１及び第２ケース片２、２０を閉じた状態において、各第１係止突起４と各第２係止突起２２との間には各他辺２ｂ、２ｃ、２ｄ、２０ｂ、２０ｃ、２０ｄの長手方向に沿って延びる挿入部４０が形成される。本例では、図３、図４等に示すように側辺２ｂ、２ｃと、側辺２０ｂ、２０ｃに夫々形成される第１係止突起４と第２係止突起２２は、何れも略Ｊ字状を成しており、各係止突起の基部４ａ、２２ａを各ケース片の側辺に固定することにより、第１係止突起４の凹所４ｂと、第２係止突起２２の凹所２２ｂとが１８０度逆向きとなる。即ち、第１係止突起４の凹所４ｂは前方を向いているのに対して、第２係止突起２２の凹所２２ｂは後方を向いている。
なお、本例では各係止突起はＪ字状を成しているが、固定部材５０を挿入できる挿入部４０を形成することができれば、Ｌ字状、Ｕ字状、Ｖ字状等々任意の形状とすることができる。
【００１３】
挿入部４０は、第１係止突起４の凹所４ｂと、第２係止突起２２の凹所２２ｂとによって形成され、図２中のＡ方向から挿入部４０（４０Ａ）を見ると円形の空所をなしている。挿入部４０の断面形状は、固定部材５０の棒状部材５２の断面形状に合わせて選定可能である。
【００１４】
固定部材５０は、全体形状が略Ｕ字状の金属製の棒状部材（被挿入部）５２を備えており、この棒状部材５２を挿入部４０（４０Ａ、４０Ｂ）に挿入することにより、第１及び第２係止突起４、２２を開放不能な状態でロックする。即ち、略Ｕ字状の固定部材５０は、直線状に並行に延びる２つの側部材５２ａと、各側部材５２ａの基端部間を連結する略アーチ状の連結部材５２ｂと、各側部材５２ａと連結部材５２ｂとの境界に配置されたストッパ部５４と、を有する。
２つの側部材５２ａをその先端部から、各ケース片の２つの側辺に沿って設けられた挿入部４０（４０Ａ）に対して頂辺２ｄ、２０ｄ側から挿入してセット完了することにより、各ケース片が側辺から開放されることを阻止する。ストッパ部５４は挿入部４０Ａ内に挿入し得ない形状とすることにより、棒状部材５２を所定の停止位置で位置決めする。
つまり、固定部材５０は、挿入部４０に挿入する被挿入部である棒状部材５２と、該被挿入部の挿入停止位置を決めるストッパ部５４と、を備えている。
【００１５】
一方、各ケース片２、２０の各頂辺２ｄ、２０ｄに夫々突設された第１、及び第２係止突起４、２２は、各側辺２ｂ、２ｃ、２０ｂ、２０ｃに形成された第１、及び第２係止突起４、２２とは形状が異なっている。本例では第１ケース片２の頂辺２ｄには２つの第１突起（第１係止突起）６を所定の長手方向間隔を隔てて突設する一方で、第２ケース片２０の頂辺２０ｄには２つの第１突起６の間隙に入り込むことができる第２突起（第２係止突起）２４が突設されている。図１、図２、図４（ｂ）のように２つのケース片を閉じた状態において、第１突起６は第２ケース片２０の頂辺２０ｄ側へオーバーラップ（幅方向へ突出）し、第２突起２４は第１ケース片２の頂辺２ｄ側へはオーバーラップしていない。第１突起６はクランク形状を備えており、第２突起２４は各第１突起６の先部６ａとの間に棒状部材５２の連結部材５２ｂを嵌込むことができるギャップから成る挿入部４０Ｂを形成する。
この頂部側の挿入部４０Ｂに対しては、棒状部材の連結部材５２ｂを頂部側から差し込むことにより、各ケース片の頂辺２ｄ、２０ｄ側が開放することを阻止できる。
【００１６】
以上のように、この防水ハウジング１では、一辺を開閉自在に軸支された前後一対の第１、第２ケース片２、２０の外周縁に沿って夫々係止突起４、２２を断続的に配列し、各係止突起は両ケース片を閉じた際にすれ違う位置関係となっている。両ケース片が閉じた時における第１係止突起４と第２係止突起２２との間には挿入部４０が形成され、この挿入部４０内に固定部材５０を挿抜（着脱）自在に装着できる。挿入部４０内に固定部材５０を装着した時にケースの開放を防止できる。
このように構成したため、両ケース片２、２０を閉止したときに互い違いの位置関係となる第１係止突起４と第２係止突起２２との間に形成される空間である挿入部４０に固定部材を挿入することにより、確実な密閉力を確保して前後ケースの開放を防ぎ、半締めなどのミスも防ぐことができる。
【００１７】
また、両ケース片を閉止した時に第１、及び第２係止突起ケース突起部がすれ違った位置関係にあるため、従来のバックルやロックレバーを用いたロック構造とは異なり、防水ハウジング全体の厚みを増やすことなく、確実な封止が可能となる。
図３（ｂ）中に示すように両ケース片間に形成される空所Ｓ内にはデジタルカメラ（製品名：ＲＩＣＯＨ  ＴＨＥＴＡ）１００が収納されるが、このデジタルカメラの撮像レンズ１０２はカメラ筐体の前後両面に配置されており、各ケースの頂部側に位置するドーム状の部分内に収容される。このデジタルカメラ１００は、前後両面に配置された１８０度以上の画角を有した撮像レンズ１０２を用いて撮像し、夫々の撮像レンズから得られた画像データを電子的に結合して全天球画像を得るものである。撮影は防水ハウジング１を装着したままで実施されるため、画像にケラレが発生しないように各ケース片のドーム部を含む所要部を透明としている。
【００１８】
上記実施形態では、第１ケース片２に設けた各第１係止突起４と、第２ケース片２０に設けた各第２係止突起２２とは、第１、及び第２ケース片の全ての他辺２ｂ、２ｃ、２ｄ、２０ｂ、２０ｃ、２０ｄに配置したが、これは一例であり、各ケース片の少なくとも一つの他辺に第１係止突起と第２係止突起を配置するようにしてもよい。
【００１９】
＜本発明の構成、作用、効果のまとめ＞
第１の本発明に係る防水ハウジングは、閉じたときに収納対象物を収容する空所Ｓを内部に形成する第１、及び第２ケース片２、２０と、第１、及び第２ケース片を夫々の一辺２ａ、２０ａにて開閉自在に連結する連結部３０と、第１ケース片２の一辺２ａを除いた全ての他辺２ｂ、２ｃ、２ｄのそれぞれから外方へ突出した複数の第１係止突起４と、第２ケース片２０の一辺２０ａを除いた全ての他辺２０ｂ、２０ｃ、２０ｄのそれぞれから外方へ突出した複数の第２係止突起２２と、第１ケース片と第２ケース片が閉止状態にある時に第１係止突起と第２係止突起との間に形成される挿入部４０と、該挿入部に挿入された時に第１、及び第２ケース片の開放を禁止する固定部材５０と、を備えたことを特徴とする。
【００２０】
２つのケース片２、２０は閉じた時に空所Ｓを形成し、この空所Ｓ内にはカメラ、通信機器、音響機器等々の電子機器を封入することができる。各ケース片は、一辺においてお互いに開閉自在（回動自在）に連結されている。各ケース片の少なくとも一つの他辺（互いに対応する位置にある２つの他辺）には、係止突起が当該他辺の長手方向に沿って配置される。ケース片の閉止時に各係止突起間には固定部材を装着する挿入部が形成され、挿入部に固定部材を装着した状態ではケース片を開放することができなくなる。ケース片の外周に沿って防水部材（パッキング）を配置する等の構成を採用することにより気密性、水密性を確保することが可能となる。特に、全ての辺に沿って防水部材を配置し、且つ全ての他辺２ｂ、２ｃ、２ｄ、２０ｂ、２０ｃ、２０ｄに各係止突起４、２２を配置することにより、閉止不良を防止して防水性をより高めることが可能となる。
【００２１】
また、各係止突起はケース片の空所Ｓとは反対側である外側（外径方向）に向けて突出しており、各ケース片の厚みを越えることがない。このため、係止突起には、ケース片を閉止したときに防水ハウジングの全厚みを越える部位がなく、防水ハウジングの薄型化に貢献することができる。
また、各係止突起の構成がシンプルであり、構造の複雑化による生産性の低下、コストアップを招くこともない。
【００２２】
第２の本発明では、第１、及び第２ケース片を閉じたときに、第１ケース片に設けた各第１係止突起４と、第２ケース片に設けた各第２係止突起２２とは、第１、及び第２ケース片の他辺の長手方向に沿って重ならない位置関係にあり、且つ他辺の長手方向と直交する幅方向に沿って少なくとも一部が重なる位置関係にあり、第１及び第２ケース片を閉じた状態において、各第１係止突起と各第２係止突起との間に他辺の長手方向に沿って延びる挿入部４０が形成される。
各係止突起が互い違いに配置されることにより、ケース片を閉じた時に重ならない位置関係となり、ハウジング全体の厚みを増大させる要因となることがない。
【００２３】
第３の本発明は、固定部材５０は、挿入部４０に挿入する被挿入部５２と、該被挿入部の挿入停止位置を決めるストッパ部５４と、を備えていることを特徴とする。
ストッパ部５４は挿入部４０Ａ内に挿入し得ない形状とすることにより、被挿入部５２を所定の停止位置で位置決めする。このため、被挿入部が無用に挿入部の奥深くまで入り込んだり、或いは不十分な挿入状態となることを防止できる。
【符号の説明】
【００２４】
１…防水ハウジング、２…第１ケース片、２ａ…一辺、２ｂ、２ｃ、２ｄ…他辺、４…第１係止突起、４ａ…基部、４ｂ…凹所、６…第１突起（第１係止突起）、６ａ…先部、２０…第２ケース片、２０ａ…一辺、２０ｂ、２０ｃ、２０ｄ…他辺、２２…第２係止突起、２２ａ…基部、２２ｂ…凹所、２４…第２突起（第２係止突）、３０…連結部、４０…挿入部、４０Ａ…挿入部、４０Ｂ…挿入部、５０…固定部材、５２…棒状部材（被挿入部）、５２ａ…側部材、５２ｂ…連結部材、５４…ストッパ部、１００…デジタルカメラ、１０２…撮像レンズ。
【先行技術文献】
【特許文献】
【００２５】
【特許文献１】特開２０１０−００８７２０公報
【特許文献２】特開２０１０−１９７５１０公報
【図１】
0006507520.tif 000002
【図２】
0006507520.tif 000003
【図３】
0006507520.tif 000004
【図４】
0006507520.tif 000005
【図５】
0006507520.tif 000006